(57)【要約】【課題】  より正確なＤＣレベル制御によるデータ記録を可能とした装置および方法を提供する。【解決手段】  記録媒体に対する記録データに基づいて生成される変調データのＤＳＶに基づいてＤＣレベル制御を行う構成において、ＤＣレベルの算出処理を、再生信号の波形に対応するＤＣレベル寄与度を考慮した係数を適用して実行する。本構成により、実際の再生信号に対応する正確なＤＣレベル制御が可能となり、低域成分の低減効果が増大し、例えば再生信号の低域成分の増加に伴うサーボの不安定性への影響の削減が可能となり、サーボの安定性維持のための制御を強化する必要がなく、消費電力の低減、良好な再生信号の取得を実現できる。【選択図】  図４
2007026601.tif 000002
【特許請求の範囲】
【請求項１】
情報記録処理装置において、
情報記録媒体に対する記録データの変調処理を実行し、符号データを生成する変調部と、
前記符号データの構成ビットのラン長に対応して設定された係数に基づいて、ラン長対応のＤＣレベル算出処理を実行するＤＣレベル演算部とを有し、
前記ＤＣレベル演算部の算出したラン長対応のＤＣレベルに基づくＤＣレベル積算結果に基づいて、ＤＣ制御のなされた符号データを生成または選択し、該生成または選択データを情報記録媒体に対する記録データとして設定する構成を有することを特徴とする情報記録処理装置。
【請求項２】
前記情報記録処理装置は、さらに、
前記ＤＣレベル演算部の算出したラン長対応のＤＣレベルに基づくＤＣレベル積算結果に基づいて、ＤＳＶ（Ｄｉｇｉａｔａｌ  Ｓｕｍ  Ｖａｌｕｅ）を適用したＤＣ制御ビット設定処理を実行するＤＣ制御ビット挿入部と、
前記ＤＣ制御ビット挿入部によるＤＣ制御ビット挿入後のデータに対するＮＲＺＩ変換処理を実行するＮＲＺＩ変換部と、
を有する構成であることを特徴とする請求項１に記載の情報記録処理装置。
【請求項３】
前記変調部は、記録データの変調処理により複数の符号データ候補を選択する構成であり、
前記ＤＣレベル演算部は、前記複数の符号データ候補の各々について、各符号データ候補の構成ビットのラン長に対応して設定された係数に基づいて、ラン長対応のＤＣレベル算出処理を実行する構成であり、
前記変調部は、前記各符号データ候補に対応する複数のラン長対応のＤＣレベルに基づくＤＣレベル積算結果に基づいて、ＤＳＶ（Ｄｉｇｉａｔａｌ  Ｓｕｍ  Ｖａｌｕｅ）を適用した、最終的な符号データ決定処理を実行する構成であることを特徴とする請求項１に記載の情報記録処理装置。
【請求項４】
前記ＤＣレベル演算部の適用する符号データの構成ビットのラン長に対応して設定された係数は、ビット列対応の再生信号とＤＣレベル＝０ラインによって規定される領域の面積比を反映した係数であることを特徴とする請求項１に記載の情報記録処理装置。
【請求項５】
前記ＤＣレベル演算部は、
情報記録媒体からの再生信号の波形に対応するＤＣレベル寄与度を考慮したラン長対応係数に、各ラン長対応ビットのＮＲＺＩ変換値によって決定される係数乗算値を乗算した結果を各ラン長ビットに対応するＤＣレベルとして算出する処理を実行する構成であることを特徴とする請求項１に記載の情報記録処理装置。
【請求項６】
前記ＤＣレベル演算部は、
前記係数乗算値を、
各ラン長対応ビットのＮＲＺＩ変換値が１の場合は１、
各ラン長対応ビットのＮＲＺＩ変換値が０の場合は−１、
として決定する処理を実行する構成であることを特徴とする請求項５に記載の情報記録処理装置。
【請求項７】
情報記録媒体に対する記録データの変調処理を実行し、符号データを生成する変調ステップと、
前記符号データの構成ビットのラン長に対応して設定された係数に基づいて、ラン長対応のＤＣレベル算出処理を実行するＤＣレベル演算ステップと、
前記ＤＣレベル演算ステップにおいて算出したラン長対応のＤＣレベルに基づくＤＣレベル積算結果に基づいて、ＤＣ制御のなされた符号データを生成または選択し、該生成または選択データを情報記録媒体に対する記録データとして設定するステップと、
を有することを特徴とする情報記録処理方法。
【請求項８】
前記情報記録処理方法は、さらに、
前記ＤＣレベル演算ステップにおいて算出したラン長対応のＤＣレベルに基づくＤＣレベル積算結果に基づいて、ＤＳＶ（Ｄｉｇｉａｔａｌ  Ｓｕｍ  Ｖａｌｕｅ）を適用したＤＣ制御ビット設定処理を実行するＤＣ制御ビット挿入ステップと、
前記ＤＣ制御ビット挿入ステップにおけるＤＣ制御ビット挿入後のデータに対するＮＲＺＩ変換処理を実行するＮＲＺＩ変換ステップと、
を有することを特徴とする請求項７に記載の情報記録処理方法。
【請求項９】
前記変調ステップは、記録データの変調処理により複数の符号データ候補を選択する処理を実行し、
前記ＤＣレベル演算ステップは、前記複数の符号データ候補の各々について、各符号データ候補の構成ビットのラン長に対応して設定された係数に基づいて、ラン長対応のＤＣレベル算出処理を実行し、
前記情報記録処理方法は、さらに、
前記各符号データ候補に対応する複数のラン長対応のＤＣレベルに基づくＤＣレベル積算結果に基づいて、ＤＳＶ（Ｄｉｇｉａｔａｌ  Ｓｕｍ  Ｖａｌｕｅ）を適用した最終的な符号データ決定処理を実行するステップを有することを特徴とする請求項７に記載の情報記録処理方法。
【請求項１０】
前記ＤＣレベル演算ステップにおいて適用する符号データの構成ビットのラン長に対応して設定された係数は、ビット列対応の再生信号とＤＣレベル＝０ラインによって規定される領域の面積比を反映した係数であることを特徴とする請求項７に記載の情報記録処理方法。
【請求項１１】
前記ＤＣレベル演算ステップは、
情報記録媒体からの再生信号の波形に対応するＤＣレベル寄与度を考慮したラン長対応係数に、各ラン長対応ビットのＮＲＺＩ変換値によって決定される係数乗算値を乗算した結果を各ラン長ビットに対応するＤＣレベルとして算出する処理を実行することを特徴とする請求項７に記載の情報記録処理方法。
【請求項１２】
前記ＤＣレベル演算ステップは、
前記係数乗算値を、
各ラン長対応ビットのＮＲＺＩ変換値が１の場合は１、
各ラン長対応ビットのＮＲＺＩ変換値が０の場合は−１、
として決定する処理を実行することを特徴とする請求項１１に記載の情報記録処理方法。
【請求項１３】
情報記録処理装置において記録データの生成処理を実行させるコンピュータ・プログラムであり、
情報記録媒体に対する記録データの変調処理を実行し、符号データを生成する変調ステップと、
前記符号データの構成ビットのラン長に対応して設定された係数に基づいて、ラン長対応のＤＣレベル算出処理を実行するＤＣレベル演算ステップと、
前記ＤＣレベル演算ステップにおいて算出したラン長対応のＤＣレベルに基づくＤＣレベル積算結果に基づいて、ＤＣ制御のなされた符号データを生成または選択し、該生成または選択データを情報記録媒体に対する記録データとして設定するステップと、
を有することを特徴とするコンピュータ・プログラム。
【発明の詳細な説明】
【技術分野】
【０００１】
本発明は、情報記録処理装置、および情報記録処理方法、並びにコンピュータ・プログラムに関する。さらに詳細には、光ディスクなどの情報記録媒体に対するデータ記録処理を実行する情報記録処理装置、および情報記録処理方法、並びにコンピュータ・プログラムに関する。
【背景技術】
【０００２】
音楽データ、画像データなどのデータを、記録媒体にデジタルデータとして記録する際には、所定の記録フォーマットに従った記録処理が行われる。例えば、記録対象のオリジナルデータに対して誤り検出／訂正符号が付加され、特定のデータ記録再生処理に応じたフォーマットに変換（コーディング）されて記録されることになる。
【０００３】
例えば、光ディスクに信号を記録する際には、映画や音楽などのコンテンツデータの他、データ再生の際に利用可能なサーボ信号や基準クロック信号を生成するために必要となる信号を付加したフォーマットデータを生成し、様々なデータ記録再生方式に従った変調処理を行った上で記録処理が行なわれる。
【０００４】
このような変調方式の代表的なものとして、たとえば、ＣＤ（コンパクトディスク）や「ＭｉｎｉＤｉｓｃ（ソニー株式会社の登録商標）」に用いられているＥＦＭ方式や、ＤＶＤ（デジタルバーサタイルディスク）に用いられている８−１６変調方式、光磁気ディスクに用いられている（１、７）ＲＬＬ変調方式、ＢＤ（Ｂｌｕ−ｒａｙディスク）に用いられている１７ＰＰ変調方式などがある。
【０００５】
例えば、（１、７）ＲＬＬ変調方式は、２ビットデータを３ビットデータへ変調する処理を基本とする変調を実行する。（１、７）ＲＬＬ変調方式では、変調後のビットにおいて連続する［０］の数が、最小１つ、最大７個の範囲となるＲＬＬ（１，７）のランレングス制限に従った変調データとするデータ変換方式である。なお、この変換処理においては、変換テーブルが使用される。このような変調データに基づいて、同期信号が設定されたレコーディングフレーム（Ｒｅｃｏｒｄｉｎｇ  Ｆｒａｍｅ）と呼ばれる記録単位が生成されて記録信号処理回路を介して光ディスクなどの情報記録媒体に記録される。
【０００６】
上述した各種の変調処理においては、ＤＣ制御がなされてデータ記録がなされる。たとえば、データのある一定間隔毎に変調時のＤＳＶ（Ｄｉｇｉｔａｌ  Ｓｕｍ  Ｖａｌｕｅ：デジタルサムバリュー）の絶対値が、小さくなるようにＤＣ制御ビット（ＤＣ−Ｃｏｎｔｒｏｌ  ｂｉｔ）が挿入されて記録データの生成処理が行われる。
【０００７】
このＤＣ制御処理は、最終的なディスクに対する記録信号であるＮＲＺＩ(Non Return to Zero Inverted)信号の低域成分を出来るだけ少なくする制御のために行なわれる処理である。低域成分が変調信号に含まれると、再生時にこの低域成分が光ピックアップのサーボ信号に漏れこみ、当該サーボに悪影響を及ぼす。これを防止するため、ＤＣ制御ビットの挿入を行なってＮＲＺＩ信号の低域成分を出来るだけ少なくするものである。なお、ＮＲＺＩ(Non Return to Zero Inverted)信号は、変調データの［０］または［１］の値に応じてパルスの正負を反転させて生成される信号である。
【０００８】
デジタルサムバリュー（ＤＳＶ）は、情報記録媒体に対する記録信号であるＮＲＺＩ変換信号のＤＣバランスの指標である。具体的には、記録ビット系列（ＮＲＺＩ変換信号）のビット［０］を「−１」、ビット［１］を「＋１」として累積した値をＤＳＶとし、例えばＤＳＶが０からの乖離をより小さくすることのできるように、ＤＣ制御ビット（ＤＣ−Ｃｏｎｔｒｏｌ  ｂｉｔ）の「０」または、「１」を選択して挿入される。
【０００９】
すなわち、ＤＳＶは、記録波系列において、ビット値に対応するシンボル１、０について、各々＋１点、−１点とし、波形列の開始時点からのシンボルの和を次々に求めた値である。ＤＳＶは、変調信号の直流成分の評価の目安に使われる。ＤＳＶの絶対値が小さければ、直流成分、または低周波成分が少ないことになる。従って、ＤＳＶの絶対値が小さくなるように挿入するＤＣ制御ビットの値が決定される。なお、一般的なＤＣ制御ビット、ＤＳＶの説明については、例えば非特許文献１に記載されている。
【００１０】
一方、光ディスクからのデータ再生において、光ビームの大きさに対してディスクに形成されたピットの大きさが小さくなると、反射光の変化が少なくなり再生信号の振幅が小さくなる。すなわち、ディスクにおけるピット長、ピット間隔が小さくなる（空間周波数が高くなる）と再生振幅が小さくなる傾向がある。空間周波数に対する振幅の変化をＭＴＦ（Ｍｏｄｕｌａｔｉｏｎ  Ｔｒａｎｓｆｅｒ  Ｆｕｎｃｔｉｏｎ）と呼ぶ。このように、再生波形は光学的特性（ＭＴＦ）により、高い周波数では再生信号の振幅が減衰する特性があることが知られている。なお、光ディスクにおける再生処理に関する一般的説明は、例えば非特許文献２に記載されている。
【非特許文献１】ラジオ技術社「光ディスク」１８０ベージ
【非特許文献２】オーム社「ＤＶＤ読本」Ｐ９８
【発明の開示】
【発明が解決しようとする課題】
【００１１】
上述したように、データ記録処理においては、記録信号であるＮＲＺＩ(Non Return to Zero Inverted)信号の低域成分を出来るだけ少なくする制御のため、記録ビット系列（ＮＲＺＩ変換信号）のビット値に対応するシンボル１、０について、各々＋１点、−１点とし、波形列の開始時点からのシンボルの和をＤＳＶとし、ＤＳＶ値を０からの乖離がより小さくなるように、ＤＣ制御ビットの値を選択して挿入する。
【００１２】
しかし、これまでのＤＳＶ制御においては、記録される信号の周波数の高低には関係なく、シンボルの「１」、「０」のデータ数のみにより制御する構成である。従って、たとえばシンボルが「１」に対応する記録データに高い周波数の記録データが続き、シンボルが「０」に低い周波数の記録データが続くと、ＤＳＶの絶対値は、上記制御によって０に近く制御されるが、データ再生においては、シンボル「１」に対応するデータ部分の再生信号の平均振幅は、シンボルが「０」に対応するデータ部分の再生信号の平均振幅に比較して小さくなる。この結果、再生信号にはシンボル「０」側に偏りを持った低域成分がのってしまい、適切な低域成分の制御ができなくなってしまうという問題が発生することになる。
【００１３】
本発明は、上述の問題点に鑑みてなされたものであり、シンボル「１」およびシンボル「０」に対応する記録データの周波数の高低に偏りがある場合にも、適切な低域成分の制御を実現する情報記録処理装置、および情報記録処理方法、並びにコンピュータ・プログラムを提供することを目的とする。
【課題を解決するための手段】
【００１４】
本発明の第１の側面は、
情報記録処理装置において、
情報記録媒体に対する記録データの変調処理を実行し、符号データを生成する変調部と、
前記符号データの構成ビットのラン長に対応して設定された係数に基づいて、ラン長対応のＤＣレベル算出処理を実行するＤＣレベル演算部とを有し、
前記ＤＣレベル演算部の算出したラン長対応のＤＣレベルに基づくＤＣレベル積算結果に基づいて、ＤＣ制御のなされた符号データを生成または選択し、該生成または選択データを情報記録媒体に対する記録データとして設定する構成を有することを特徴とする情報記録処理装置にある。
【００１５】
さらに、本発明の情報記録処理装置の一実施態様において、前記情報記録処理装置は、さらに、前記ＤＣレベル演算部の算出したラン長対応のＤＣレベルに基づくＤＣレベル積算結果に基づいて、ＤＳＶ（Ｄｉｇｉａｔａｌ  Ｓｕｍ  Ｖａｌｕｅ）を適用したＤＣ制御ビット設定処理を実行するＤＣ制御ビット挿入部と、前記ＤＣ制御ビット挿入部によるＤＣ制御ビット挿入後のデータに対するＮＲＺＩ変換処理を実行するＮＲＺＩ変換部とを有する構成であることを特徴とする。
【００１６】
さらに、本発明の情報記録処理装置の一実施態様において、前記変調部は、記録データの変調処理により複数の符号データ候補を選択する構成であり、前記ＤＣレベル演算部は、前記複数の符号データ候補の各々について、各符号データ候補の構成ビットのラン長に対応して設定された係数に基づいて、ラン長対応のＤＣレベル算出処理を実行する構成であり、前記変調部は、前記各符号データ候補に対応する複数のラン長対応のＤＣレベルに基づくＤＣレベル積算結果に基づいて、ＤＳＶ（Ｄｉｇｉａｔａｌ  Ｓｕｍ  Ｖａｌｕｅ）を適用した、最終的な符号データ決定処理を実行する構成であることを特徴とする。
【００１７】
さらに、本発明の情報記録処理装置の一実施態様において、前記ＤＣレベル演算部の適用する符号データの構成ビットのラン長に対応して設定された係数は、ビット列対応の再生信号とＤＣレベル＝０ラインによって規定される領域の面積比を反映した係数であることを特徴とする。
【００１８】
さらに、本発明の情報記録処理装置の一実施態様において、前記ＤＣレベル演算部は、情報記録媒体からの再生信号の波形に対応するＤＣレベル寄与度を考慮したラン長対応係数に、各ラン長対応ビットのＮＲＺＩ変換値によって決定される係数乗算値を乗算した結果を各ラン長ビットに対応するＤＣレベルとして算出する処理を実行する構成であることを特徴とする。
【００１９】
さらに、本発明の情報記録処理装置の一実施態様において、前記ＤＣレベル演算部は、前記係数乗算値を、各ラン長対応ビットのＮＲＺＩ変換値が１の場合は１、各ラン長対応ビットのＮＲＺＩ変換値が０の場合は−１、として決定する処理を実行する構成であることを特徴とする。
【００２０】
さらに、本発明の第２の側面は、
情報記録媒体に対する記録データの変調処理を実行し、符号データを生成する変調ステップと、
前記符号データの構成ビットのラン長に対応して設定された係数に基づいて、ラン長対応のＤＣレベル算出処理を実行するＤＣレベル演算ステップと、
前記ＤＣレベル演算ステップにおいて算出したラン長対応のＤＣレベルに基づくＤＣレベル積算結果に基づいて、ＤＣ制御のなされた符号データを生成または選択し、該生成または選択データを情報記録媒体に対する記録データとして設定するステップと、
を有することを特徴とする情報記録処理方法にある。
【００２１】
さらに、本発明の情報記録処理方法の一実施態様において、前記情報記録処理方法は、さらに、前記ＤＣレベル演算ステップにおいて算出したラン長対応のＤＣレベルに基づくＤＣレベル積算結果に基づいて、ＤＳＶ（Ｄｉｇｉａｔａｌ  Ｓｕｍ  Ｖａｌｕｅ）を適用したＤＣ制御ビット設定処理を実行するＤＣ制御ビット挿入ステップと、前記ＤＣ制御ビット挿入ステップにおけるＤＣ制御ビット挿入後のデータに対するＮＲＺＩ変換処理を実行するＮＲＺＩ変換ステップとを有することを特徴とする。
【００２２】
さらに、本発明の情報記録処理方法の一実施態様において、前記変調ステップは、記録データの変調処理により複数の符号データ候補を選択する処理を実行し、前記ＤＣレベル演算ステップは、前記複数の符号データ候補の各々について、各符号データ候補の構成ビットのラン長に対応して設定された係数に基づいて、ラン長対応のＤＣレベル算出処理を実行し、前記情報記録処理方法は、さらに、前記各符号データ候補に対応する複数のラン長対応のＤＣレベルに基づくＤＣレベル積算結果に基づいて、ＤＳＶ（Ｄｉｇｉａｔａｌ  Ｓｕｍ  Ｖａｌｕｅ）を適用した最終的な符号データ決定処理を実行するステップを有することを特徴とする。
【００２３】
さらに、本発明の情報記録処理方法の一実施態様において、前記ＤＣレベル演算ステップにおいて適用する符号データの構成ビットのラン長に対応して設定された係数は、ビット列対応の再生信号とＤＣレベル＝０ラインによって規定される領域の面積比を反映した係数であることを特徴とする。
【００２４】
さらに、本発明の情報記録処理方法の一実施態様において、前記ＤＣレベル演算ステップは、情報記録媒体からの再生信号の波形に対応するＤＣレベル寄与度を考慮したラン長対応係数に、各ラン長対応ビットのＮＲＺＩ変換値によって決定される係数乗算値を乗算した結果を各ラン長ビットに対応するＤＣレベルとして算出する処理を実行することを特徴とする。
【００２５】
さらに、本発明の情報記録処理方法の一実施態様において、前記ＤＣレベル演算ステップは、前記係数乗算値を、各ラン長対応ビットのＮＲＺＩ変換値が１の場合は１、各ラン長対応ビットのＮＲＺＩ変換値が０の場合は−１、として決定する処理を実行することを特徴とする。
【００２６】
さらに、本発明の第３の側面は、
情報記録処理装置において記録データの生成処理を実行させるコンピュータ・プログラムであり、
情報記録媒体に対する記録データの変調処理を実行し、符号データを生成する変調ステップと、
前記符号データの構成ビットのラン長に対応して設定された係数に基づいて、ラン長対応のＤＣレベル算出処理を実行するＤＣレベル演算ステップと、
前記ＤＣレベル演算ステップにおいて算出したラン長対応のＤＣレベルに基づくＤＣレベル積算結果に基づいて、ＤＣ制御のなされた符号データを生成または選択し、該生成または選択データを情報記録媒体に対する記録データとして設定するステップと、
を有することを特徴とするコンピュータ・プログラムにある。
【００２７】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２８】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２９】
本発明の構成によれば、記録媒体に対する記録データに基づいて生成される変調データのＤＳＶに基づいてＤＣレベル制御を行う構成において、ＤＣレベルの算出処理を、再生信号の波形に対応するＤＣレベル寄与度を考慮した係数を適用して実行する構成とした。本構成によって、実際の再生信号に対応する正確なＤＣレベル制御が可能となり、低域成分の低減効果が増大する。これにより、例えば再生信号の低域成分の増加に伴うサーボの不安定性への影響を削減することが可能となり、サーボの安定性維持のための制御を強化する必要がなく、消費電力の低減、良好な再生信号の取得が実現される。
【発明を実施するための最良の形態】
【００３０】
以下、図面を参照しながら本発明の情報記録処理装置、および情報記録処理方法の詳細について説明する。
【００３１】
図１は、本発明の情報記録処理装置のデジタル変調処理手段の一実施例構成を示す図である。図１は、例えば、（１、７）ＲＬＬなどのように、変調された符号データ列に対し、所定のＤＣ制御間隔ごとにＤＣ制御ビットを挿入していく変調処理を実行するデジタル変調処理手段の構成例を示している。
【００３２】
図１に示すデジタル変調処理手段の各構成部の処理について説明する。図１に示す変調部１０１は、（１、７）ＲＬＬ変調方式に従い、２ビットデータを３ビットデータへ変調する処理を実行する。（１、７）ＲＬＬ変調方式では、変調後のビットにおいて連続する［０］の数が、最小１つ、最大７個の範囲となるＲＬＬ（１，７）のランレングス制限に従った変調データとするデータ変換方式である。なお、この変換処理においては、変換テーブルが使用される。具体的な変換テーブルの例を図２に示す。
【００３３】
図２に示すように、変換テーブルは、各入力ビットに対応した変調データビットが対応付けられたテーブルとして構成される。例えば入力データが［００００００００］である場合、変調データビットは、［０１０１００１００１００］とされる。入力データが［１１］である場合、先行変調データビットが［ｘｘ１］であれば［０００］、先行変調データビットが［ｘｘ０］であれば［１０１］とされる。
【００３４】
２ビットから３ビットへのデータ変換をこのテーブルに従って実行することにより、ＲＬＬ（１，７）ランレングス規則に従った変調データとしての符号データが生成される。
【００３５】
変調部１０１において変調された符号データは、ＤＣレベル演算部１０２、ＤＣ制御ビット挿入部１０３に出力される。ＤＣレベル演算部１０２は、変調部１０１において生成済みの符号データのラン長を判別し、各ラン長に対応して予め設定された係数に基づく生成値を乗算したＤＣレベル値を積算し、その積算結果をＤＣ制御ビット挿入部１０３に出力する。このＤＣレベル演算部１０２における処理の詳細については後述する。
【００３６】
ＤＣ制御ビット挿入部１０３は、予め定められたＤＣ制御ビット挿入間隔データ毎に、ＤＣレベル演算部１０２より入力されたＤＣレベル積算値を参照し、変調開始時からのＤＣレベル積算値の合計の絶対値がより０に近づくように挿入すべきＤＣ制御ビットの値を決定し、変調部１０１より入力された符号データ列に対して、各ＤＣ制御ビット挿入データ間隔毎に、決定した値を持つ適切なＤＣ制御ビットを挿入する。ＤＣ制御ビットの挿入されたＤＣ制御符号データ列は、ＮＲＺＩ変換部１０４に出力される。
【００３７】
ＮＲＺＩ変換部１０４はＤＣ制御ビット挿入部１０３から、入力されたＤＣ制御符号データ列をＮＲＺＩ信号に変換し、記録データ列として出力する。出力信号が、ディスク１０６にピックアップ１０５を介して記録される。
【００３８】
ＮＲＺＩ変換部１０４においては、変調データの［０］または［１］の値に応じてパルスの正負を反転させるＮＲＺＩ(Non Return to Zero Inverted)信号を生成しこれを記録信号として情報記録媒体１０６に記録する。
【００３９】
図３にＮＲＺＩ変換部１０４において実行する記録信号としてのＮＲＺＩ生成処理構成を示す。ＮＲＺＩ変換部１０４は、ＮＲＺ変換手段１２１、排他論理和手段（ＸＯＲ）１２２、遅延手段１２３からなり、変調済みのデータとしてのチャンネルビットを入力し、ＮＲＺ変換手段１２１、排他論理和手段（ＸＯＲ）１２２、遅延手段１２３における信号処理によって、記録信号としてのＮＲＺＩ変換パルスを生成して出力する。
【００４０】
図３（ａ）が入力信号としての入力データ、（ｂ）がＮＲＺ変換手段１２１からの出力信号、（ｃ）が最終的な出力としての記録信号であるＮＲＺＩ変換パルスを示している。このＮＲＺＩ変換パルスが記録信号としてピックアップ１０５に出力されてサーボ回路の制御の下に情報記録媒体１０６に記録される。図３（ａ）に示す入力信号としての入力データは、変調処理が実行されＤＣ制御ビットが挿入されたＤＣ制御符号データ列である。
【００４１】
次に、図４を参照して、ＤＣレベル演算部１０２の構成および処理の詳細について説明する。ＤＣレベル演算部１０２は、先に、図１を参照して説明したように、変調部１０１において生成済みの符号データのラン長を判別し、そのラン長に対応した係数をかけたＤＣレベル値を積算し、その積算結果をＤＣ制御ビット挿入部１０３に出力する処理を実行する。
【００４２】
ＤＣレベル演算部１０２は、図４に示すように、符号データシフトレジスタ２０１、ラン長判別部２０２、係数レジスタ２０３、係数演算器２０４、加算器２０５、ＤＣレベル積算結果レジスタ２０６を有する。
【００４３】
変調部１０１において生成された変調データとしての符号化データは、符号データシフトレジスタ２０１に入力される。符号データシフトレジスタ２０１に入力された符号データは、ラン長判別部２０２に出力される。符号データシフトレジスタ２０１は、ラン長判別部２０２に符号データを出力後、ラン長判別部２０２において符号データのラン長が判別され、後述するラン長対応係数の決定処理が完了するまで、シフトレジスタに入力された符号データを保持する。
【００４４】
ラン長判別部２０２における符号データの構成データに対応するラン長判別処理が終了し、係数レジスタ２０３から判別された各ラン長に対応する係数値が係数演算器２０４に出力されるタイミングにおいて、符号データシフトレジスタ２０１は、その出力係数に対応する符号データを、係数演算器２０４に出力する。
【００４５】
ラン長判別部２０２は符号データシフトレジスタ２０１から入力された符号データの解析を実行し、符号データに含まれるビット値０の長さ（ラン長）を判別する。ラン長判別部２０２は、判別した各符号ビットのラン長情報をビット毎に係数レジスタ２０３に出力する。
【００４６】
係数レジスタ２０３は、再生時の信号波形の形状や信号振幅から求められるシステム対応の係数を格納するレジスタを有し、ラン長判別部２０２から入力されるラン長情報をもとに、ラン長に対応してレジスタに記憶されている係数を、係数演算器２０４に出力する。
【００４７】
係数レジスタ２０３に格納される係数は、符号データを構成するビット列のラン長に対応した係数である。たとえばＤＶＤシステムでは、一例として、図５（ａ）に示すようなラン長に対応した係数が格納されたラン長対応係数テーブルに基づいて、係数が決定される。すなわち、
ラン長＝２→係数＝３．０
ラン長＝３→係数＝４．０
ラン長＝４→係数＝５．０
ラン長＝５→係数＝６．０
：              ：
このようなラン長に対応する係数を格納したテーブルに基づいて、係数レジスタ２０３は、各ラン長に対応する係数を決定して、係数演算器２０４に出力する。なお、ラン長対応係数テーブルに設定される係数は、予めレジスタ設定値として格納しておいてもよく、あるいは、システムに応じて最適値を外部から入力して適宜、更新値を設定する構成としてもよい。
【００４８】
図５（ｂ）には、符号データシフトレジスタ２０１からラン長判別部２０２に入力されるデータ例を示している。図に示す符号データの例には、ビット値０が２，３，４の各ラン長からなるビット列が含まれ、例えばラン長２のビット列に対しては係数３．０が選択され、ラン長３のビット列に対しては係数４．０、ラン長４のビット列に対しては係数５．０が選択されて係数演算器２０４に出力される。
【００４９】
係数演算器２０４は、符号データシフトレジスタ２０１から、符号データを入力するとともに、係数レジスタ２０３から、その符号データを構成する各符号ビットのラン長に対応してテーブルから選択された係数を入力する。
【００５０】
係数演算器２０４は、符号データの構成ビット列の各ラン長に対応する係数値に基づく演算を実行し、演算結果を加算器２０５に出力する。具体的には、入力符号データビットをＮＲＺＩ変換した結果が１となるビット列については、そのビット列に対してラン長対応係数テーブルから選択された係数値をそのまま、加算器２０５に出力する。一方、符号データビットをＮＲＺＩ変換した結果が０となるビット列については、そのビット列に対してラン長対応係数テーブルから選択された係数値に「−１」を乗算して、その乗算値を各ビット列に対応するＤＣレベルとして加算器２０５に出力する。これは、その符号データの再生時の信号振幅を反映したＤＣレベル値として加算器２０５に出力する処理を実行していることに相当する。
【００５１】
図６を参照して、係数演算器２０４における処理、すなわち、符号データの再生時の信号振幅を反映したＤＣレベル値の算出について説明する。以降、ＮＲＺＩ変換後のパルスの長さをデータ長として説明する。すなわち、データ長＝ラン長＋１である。図６（Ａ）は、最終的な記録信号として生成されるＮＲＺＩ変換パルスの例を示している。（Ｂ）は、この記録信号をピックアップで読み取った場合の再生時の信号を示している。再生信号は、図に示すように、記録信号のデータ長が短い場合、振幅が小さく、記録信号のデータ長が長い場合、振幅が大きくなる傾向にある。
【００５２】
図６（Ｃ）は、再生信号におけるＤＣレベル寄与度を説明する図である。再生信号におけるＤＣレベル、すなわち直流成分は、例えば、ＤＣレベル＝０のラインから上側では＋、下側では−に寄与することになる。従って、再生信号波形とレベル＝０とによって囲まれる領域Ｒａ〜Ｒｄの面積の積算値が、最終的なＤＣレベルの積算値となり、図に示すレベル＝０のラインから上側の面積Ｒａ＋，Ｒｂ＋，Ｒｃ＋，Ｒｄ＋は、ＤＣレベルとして＋値を加算する寄与を行い、一方、図に示すレベル＝０のラインから下側の面積Ｒａ−，Ｒｂ−，Ｒｃ−は、ＤＣレベルとして−値を加算する寄与を果たすことになる。
【００５３】
たとえば面積Ｒａが記録信号としての符号データのラン長＝２に相当するビット列に対する再生信号の波形とレベル＝０のラインによって囲まれる領域の面積であり、面積Ｒｄがラン長＝５に相当するビット列に対する再生信号波形とレベル＝０のラインによって囲まれる領域の面積である場合、
ＲａとＲｄの面積比は、実際の再生信号においては、ＮＲＺＩ変換パルスのデータ長の比、すなわちラン長＋１の比
Ｒａ：Ｒｄ＝３：６にはならない。
Ｒａは、（３／６）Ｒｄより小さい面積となる。
【００５４】
例えば、
Ｒａ：符号データラン長＝２のビット列対応の再生信号とＤＣレベル＝０ラインによって規定される領域の面積、
Ｒｂ：符号データのラン長＝３のビット列対応の再生信号とＤＣレベル＝０ラインによって規定される領域の面積、
Ｒｃ：符号データのラン長＝４のビット列対応の再生信号とＤＣレベル＝０ラインによって規定される領域の面積、
Ｒｄ：符号データのラン長＝５のビット列対応の再生信号とＤＣレベル＝０ラインによって規定される領域の面積、
である場合、Ｒａ〜Ｒｄの各面積比が、ＮＲＺＩ変換パルスのデータ長の比、すなわちラン長＋１の比
Ｒａ：Ｒｂ：Ｒｃ：Ｒｄ＝３：４：５：６
が成立すれば、従来のＤＣ制御ビットによる調整処理によって、確実にＤＳＶの絶対値が０に近く制御され、適切な低域成分の制御ができることになり、問題がない。すなわち、符号データの記録ビット系列（ＮＲＺＩ変換信号）のビット値に対応するシンボル１、０について、各々＋１点、−１点とし、波形列の開始時点からのシンボルの和をＤＳＶとし、ＤＳＶ値を０からの乖離がより小さくなるように、ＤＣ制御ビットの値を選択して挿入することによって問題は発生しない。
【００５５】
しかし、図６に示すように、
Ｒａ：Ｒｂ：Ｒｃ：Ｒｄ＝３：４：５：６
は成立しない。通常の再生信号においては、
Ｒａは、（３／６）Ｒｄより小さく、
Ｒｂは、（４／６）Ｒｄより小さく、
Ｒｃは、（５／６）Ｒｄより小さい面積となる。
【００５６】
従って、従来の手法によるＤＳＶ制御、すなわち、符号データの記録ビット系列（ＮＲＺＩ変換信号）のビット値に対応するシンボル１、０について、各々＋１点、−１点とし、波形列の開始時点からのシンボルの和（積算値）としてのＤＳＶ値を０からの乖離がより小さくなるように、ＤＣ制御ビットの値を選択して挿入した場合であっても、たとえば図６（Ｃ）に示すレベル＝０のラインから上側に波形を持つ記録データに高い周波数（ラン長＝短い）の記録データが続き、レベル＝０のラインから下側に波形を持つ記録データに低い周波数（ラン長＝長い）の記録データが続いた場合には、ＤＣレベルとして−値を加算する寄与を果たすデータのＤＣレベル寄与度が、ＤＣレベルとして＋値を加算する寄与を果たすデータのＤＣレベル寄与度より大きくなってしまう。その結果、ＤＣレベルの０からの乖離が発生してしまい、適切な低域成分の制御ができなくなってしまうという問題が発生することになる。
【００５７】
係数演算器２０４は、この問題を解決するための処理を行なっている。すなわち、符号データの再生時の信号振幅を反映したＤＣレベル値を考慮して、波形列の開始時点からのＤＣレベルの積算値として示されるＤＳＶを、実際の再生信号の波形に対応した値として計算可能とする処理を実行するものである。
【００５８】
係数演算器２０４は、符号データシフトレジスタ２０１から入力する符号データを構成する各符号ビットのラン長に対応する係数を係数レジスタ２０３から入力して、符号データの構成ビット列の各ラン長に対応する係数値に基づく演算を実行し、演算結果を加算器２０５に出力する。係数演算器２０４は、入力符号データビットをＮＲＺＩ変換した結果が１となるビットについては、そのビットに対してラン長対応係数テーブルから選択された係数値をそのまま、加算器２０５に出力する。一方、符号データビットをＮＲＺＩ変換した結果が０となるビットについては、そのビットに対してラン長対応係数テーブルから選択された係数値に「−１」を乗算して、その乗算値を、加算器２０５に出力する。
【００５９】
図７を参照して、係数演算器２０４の具体的な演算処理例について説明する。図７（１）は、符号データシフトレジスタ２０１から入力する符号データである。（２）は、（１）に示す符号データのＮＲＺＩ変換結果を示している。（３）は、先に、図５を参照して説明したラン長対応係数テーブルに基づいて、係数レジスタ２０３から入力した各ラン長データに対応する登録係数を示している。
ラン長＝２のビット列３０１に対する登録係数は３．０、
ラン長＝３のビット列３０２に対する登録係数は４．０、
ラン長＝４のビット列３０３に対する登録係数は５．０、
である。
【００６０】
図７（４）は、各ラン長データ３０１〜３０３部分のＮＲＺＩ変換結果に基づいて設定される係数乗算値を示している。
ラン長＝２のビット列３０１に対するＮＲＺＩ変換結果は１であるので、係数乗算値＝＋１、
ラン長＝３のビット列３０２に対するＮＲＺＩ変換結果は０であるので、係数乗算値＝−１、
ラン長＝４のビット列３０３に対するＮＲＺＩ変換結果は１であるので、係数乗算値＝＋１、
となる。
【００６１】
図７（５）は、係数演算器２０４から加算器２０５に対して出力される出力ＤＣレベルを示している。
ラン長＝２のビット３０１に対する出力ＤＣレベルは３．０、
ラン長＝３のビット３０２に対する出力ＤＣレベルは−４．０、
ラン長＝４のビット３０３に対する出力ＤＣレベルは５．０、
となる。
【００６２】
この出力ＤＣレベルに基づくＤＳＶ算出を行なうことで、実際の再生信号の波形に対応したＤＳＶが計算可能となる。先に、図５を参照して説明したラン長対応係数テーブルには、実際の再生信号の波形に基づく係数が登録されている。図８を参照して、登録係数について説明する。
【００６３】
図８（ａ）は先に図５を参照して説明したと同様のラン長対応係数テーブルである。各ラン長に対応する係数として、
ラン長＝２のビット列３０１に対する登録係数＝ａ、
ラン長＝３のビット列３０２に対する登録係数＝ｂ、
ラン長＝４のビット列３０３に対する登録係数＝ｃ、
ラン長＝４のビット列３０３に対する登録係数＝ｄ、
の各係数が登録されている。
【００６４】
図８（ｂ）に示すデータは、図６（Ｃ）を参照して説明した再生信号におけるＤＣレベル寄与度を説明する図である。再生信号におけるＤＣレベル、すなわち直流成分は、例えば、レベル＝０のラインから上側では＋、下側では−に寄与することになる。図８（ｂ）において、
Ｒａ：符号データラン長＝２のビット列対応の再生信号とＤＣレベル＝０ラインによって規定される領域の面積、
Ｒｂ：符号データのラン長＝３のビット列対応の再生信号とＤＣレベル＝０ラインによって規定される領域の面積、
Ｒｃ：符号データのラン長＝４のビット列対応の再生信号とＤＣレベル＝０ラインによって規定される領域の面積、
Ｒｄ：符号データのラン長＝５のビット列対応の再生信号とＤＣレベル＝０ラインによって規定される領域の面積、
である。
【００６５】
図８（ｃ）に示すように、図８（ａ）に示すラン長対応係数テーブルに登録される係数の比［ａ：ｂ：ｃ：ｄ］は、
ａ：ｂ：ｃ：ｄ≒Ｒａ／３：Ｒｂ／４：Ｒｃ／５：Ｒｄ／６
として設定される。
【００６６】
すなわち、係数演算器２０４は、実際の再生信号波形に基づいて算出されるＤＣレベルの寄与度を考慮した係数を適用して、各ラン長ビット列に対応するＤＣレベルを算出して、加算器２０５に出力するＤＣレベルを計算する処理を行なう構成を持つ。
従来の手法は、この係数ａ〜ｄを全て１としていることと同等である。すなわち、
Ｒａ：Ｒｂ：Ｒｃ：Ｒｄ≒３：４：５：６
が成立している上で本手法を用いたのと同等である。
【００６７】
加算器２０５は、係数演算器２０４から入力されるＤＣレベル値を、これまでに算出済みのＤＣレベル積算値と加算する処理を実行する。すなわち、ＤＣレベル積算結果レジスタ２０６から、これまでの入力波形に基づいて算出済みのＤＣレベル積算値と、係数演算器２０４から入力されるＤＣレベル値を加算して、ＤＣレベル積算結果レジスタ２０６に出力する。
【００６８】
ＤＣレベル積算結果レジスタ２０６は加算器２０５からＤＣレベル積算値が入力される毎、入力されるＤＣレベル積算値をレジスタに保持し、その積算結果を加算器２０５にフィードバック出力するとともに、この積算結果をＤＣレベル演算部１０２の出力として、ＤＣ制御ビット挿入部１０３に対して出力する。
【００６９】
ＤＣ制御ビット挿入部１０３は、予め定められたＤＣ制御ビット挿入間隔データ毎に、ＤＣレベル演算部１０２より入力されたＤＣレベル積算値を参照し、変調開始時からのＤＣレベル積算値の合計の絶対値がより０に近づくように挿入すべきＤＣ制御ビットの値を決定し、変調部１０１より入力された符号データ列に対して、各ＤＣ制御ビット挿入データ間隔毎に、決定した値を持つ適切なＤＣ制御ビットを挿入する。ＤＣ制御ビットの挿入されたＤＣ制御符号データ列は、ＮＲＺＩ変換部１０４に出力され、ＮＲＺＩ変換部１０４において、ＤＣ制御済みの符号データ列をＮＲＺＩ信号に変換し、変換後のデータが記録データとしてピックアップ１０５を介してディスク１０６に記録される。
【００７０】
このように、本発明においては、ＤＣレベルの算出処理を、再生信号の波形に対応するＤＣレベル寄与度を考慮した係数を適用して実行する構成としたので、実際の再生信号に対応する正確なＤＣレベル制御が可能となり、低域成分の低減効果が増大することになり、例えば再生信号の低域成分の増加に伴うサーボの不安定性への影響を削減することが可能となり、サーボの安定性維持のための制御を強化する必要がなく、消費電力の低減、良好な再生信号の取得が可能となる。
【００７１】
上述した処理例は、図１に示すデジタル変調処理手段、すなわち、例えば、（１、７）ＲＬＬなどのように、変調された符号データ列に対し、所定のＤＣ制御間隔ごとにＤＣ制御ビットを挿入していく変調処理を実行するデジタル変調処理手段に対応した処理例として説明したが、本発明の処理、すなわち、再生信号の波形に対応するＤＣレベル寄与度を考慮した係数を適用して実行する処理は、その他の構成を持つデジタル変調処理手段においても適用可能である。
【００７２】
たとえば、図９に示すデジタル変調処理手段は、８−１６変調などのように、入力データ１ワード毎に、ＤＣレベル積算値を参照して符号データを決定するデジタル変調処理手段の構成例を示している。
【００７３】
図９に示すデジタル変調処理手段において、変調部５０１は、たとえば８−１６変調を行なう場合、８ビットワードの入力データを、変換テーブルに従い１６ビット符号データに変換する。この際、既に処理済のデータに基づくＤＣレベル積算値を参照し、予め用意されている複数の符号データ候補の中から、変調開始時からのＤＣレベル積算値の合計の絶対値が０に近くなるものを複数選択する。変調部５０１は、選択された１つ以上の符号データ候補を、ＤＣレベル演算部５０２に出力する。
【００７４】
ＤＣレベル演算部５０２は、変調部５０１から入力される符号データ候補の数に対応する並列演算可能な複数のＤＣレベル演算部を持つ。これらのＤＣレベル演算部は、先に図４を参照して説明したと同様の構成を有し、各符号データ候補個別にそれぞれ符号データを構成するビット列のラン長を判別し、図５を参照して説明したと同様のラン長対応係数テーブルを参照して、各ラン長に対応した係数を取得する。
【００７５】
ＤＣレベル演算部５０２の各々は、さらに、図７を参照して説明したＮＲＺＩ変換結果に対応して算出する係数乗算値との乗算によって出力ＤＣレベルを決定し、さらに、決定したＤＣレベルと、過去の符号データに基づくＤＳＶ値との積算結果を算出して、算出したＤＣレベル積算値を各符号データ候補毎に変調部５０１にそれぞれ出力する。
【００７６】
変調部５０１は、これらの複数の符号データ候補に対応する複数のＤＣレベル積算値の中から、絶対値がより０に近いものを選択して、最終的な出力符号データとし、ＮＲＺＩ変換部５０３に出力する。ＮＲＺＩ変換部５０３は変調部５０１から入力された符号データ列をＮＲＺＩ信号に変換し、記録データ列として出力し、ディスクに記録する。
【００７７】
この構成においても、ＤＣレベルの算出処理は、再生信号の波形に対応するＤＣレベル寄与度を考慮した係数を適用して実行する構成とすることで、実際の再生信号に対応する正確なＤＣレベル制御が可能となり、低域成分の低減効果が増大することになり、例えば再生信号の低域成分の増加に伴うサーボの不安定性への影響を削減することが可能となり、サーボの安定性維持のための制御を強化する必要がなく、消費電力の低減、良好な再生信号の取得が可能となる。
【００７８】
次に、図１０を参照して、本発明の情報記録処理における変調処理およびＤＣレベル制御シーケンスについて説明する。ステップＳ１０１において、記録データに対応する変調処理を実行し、符号データを生成する。なお、変調処理としては、例えば、図１の構成を持つデジタル変調処理手段では、（１、７）ＲＬＬ変調方式に従った変調処理、また、図９を参照して説明した構成では、例えば、８−１６変調による複数の符号データ候補の生成がなされる。
【００７９】
次に、ステップＳ１０２において、符号データ（または符号データ候補）の構成ビット列のラン長が検出される。さらに、ステップＳ１０３において、各検出ラン長
に対応する係数が、ラン長対応係数テーブルから取得される。例えば、図５を参照して説明したラン長対応係数テーブルが利用される。テーブルに登録された係数は、先に図６を参照して説明したように、再生信号波形とレベル０のラインによって構成される領域の面積比を反映した係数である。
【００８０】
次に、ステップＳ１０４において、各ラン長ビット列のＮＲＺＩ変換結果に基づいて係数乗算値（＋１または−１）を決定する。なお、ここでは、実際にＮＲＺＩ変換処理を行なう必要はなく、符号データ列に基づいて推定されるＮＲＺＩパルス列に基づいて決定すればよい。
【００８１】
次に、ステップＳ１０５において、各ラン長ビット列に対応する登録係数と係数乗算値を乗算して、各ラン長ビット列に対応するＤＣレベルを算出する。この処理は、先に図７を参照して説明した処理である。
【００８２】
次に、ステップＳ１０６において、ステップＳ１０５で算出したＤＣレベルと、すでに算出済みの符号データ列に基づくＤＣレベル積算値（ＤＳＶ）とを加算して、ＤＳＶの更新値を算出する。
【００８３】
次に、ステップＳ１０７において、ＤＣレベル積算値（ＤＳＶ）に基づいて、ＤＣ制御ビットを決定する。あるいは、複数の符号データ候補から、最終的な符号データを決定する。
【００８４】
図１を参照した構成では、ＤＣ制御ビット挿入部において、ＤＳＶを０に近づけるようなＤＣ制御ビットを決定して、ＤＣ制御ビット挿入を実行し、図９を参照して説明した構成では、変調部５０１が、複数の符号データ候補に対応する複数のＤＣレベル積算値の中から、絶対値がより０に近いものを選択して、最終的な出力符号データとする。
【００８５】
このようにした生成されたＤＣ制御のなされた符号データが、ＮＲＺＩ変換部に出力され、ＮＲＺＩ変換部においてＮＲＺＩ信号に変換され、記録データとしてディスクに記録される。
【００８６】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００８７】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８８】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８９】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９１】
以上、説明したように、本発明の構成によれば、記録媒体に対する記録データに基づいて生成される変調データのＤＳＶに基づいてＤＣレベル制御を行う構成において、ＤＣレベルの算出処理を、再生信号の波形に対応するＤＣレベル寄与度を考慮した係数を適用して実行する構成とした。本構成によって、実際の再生信号に対応する正確なＤＣレベル制御が可能となり、低域成分の低減効果が増大する。これにより、例えば再生信号の低域成分の増加に伴うサーボの不安定性への影響を削減することが可能となり、サーボの安定性維持のための制御を強化する必要がなく、消費電力の低減、良好な再生信号の取得が実現される。
【図面の簡単な説明】
【００９２】
【図１】本発明の情報記録処理装置のデジタル変調処理手段の一実施例構成を示す図である。
【図２】デジタル変調処理手段の実行する変調処理の一例を説明する図である。
【図３】ＮＲＺＩ変換処理の詳細を説明する図である。
【図４】本発明の情報記録処理装置のＤＣレベル演算部の構成および処理について説明する図である。
【図５】ラン長対応係数テーブルの構成例を説明する図である。
【図６】ラン長対応係数テーブルに設定される係数について説明する図である。
【図７】本発明の情報記録処理装置のＤＣレベル演算部の処理について説明する図である。
【図８】ラン長対応係数テーブルに設定される係数について説明する図である。
【図９】本発明の情報記録処理装置のデジタル変調処理手段の一実施例構成を示す図である。
【図１０】本発明の情報記録処理装置の処理シーケンスについて説明するフローチャートを示す図である。
【符号の説明】
【００９３】
１０１  変調部
１０２  ＤＣレベル演算部
１０３  ＤＣ制御ビット挿入部
１０４  ＮＲＺＩ変換部
１０５  ピックアップ
１０６  ディスク
１２１  ＮＲＺ変換手段
１２２  ＸＯＲ
１２３  遅延手段
２０１  符号データシフトレジスタ
２０２  ラン長判別部
２０３  係数レジスタ
２０４  係数演算器
２０５  加算器
２０６  ＤＣレベル積算結果レジスタ
５０１  変調部
５０２  ＤＣレベル演算部
５０３  ＮＲＺＩ変換部
【図１】
2007026601.tif 000003
【図２】
2007026601.tif 000004
【図３】
2007026601.tif 000005
【図４】
2007026601.tif 000006
【図５】
2007026601.tif 000007
【図６】
2007026601.tif 000008
【図７】
2007026601.tif 000009
【図８】
2007026601.tif 000010
【図９】
2007026601.tif 000011
【図１０】
2007026601.tif 000012